【手続補正書】
【提出日】令和2年11月18日(2020.11.18)
【手続補正１】
【補正対象書類名】特許請求の範囲
【補正対象項目名】全文
【補正方法】変更
【補正の内容】
【特許請求の範囲】
【請求項１】
杭頭部と、前記杭頭部の周りに配置される複数の定着筋と、前記杭頭部及び前記複数の定着筋を囲むコンクリートによって構成された基礎コンクリート部とを備える杭頭接合部の設計方法において、
前記杭頭接合部の許容曲げモーメントに対応する許容曲げモーメントデータを用意する許容曲げモーメントデータ用意工程と、
前記杭頭部に発生する発生曲げモーメントを算定する発生曲げモーメント算定工程と、
前記発生曲げモーメントが前記許容曲げモーメントデータ以下になるように、前記杭頭接合部の仕様を決定する仕様決定工程と、
を備え、
前記許容曲げモーメントデータ用意工程において、前記杭頭部の周方向での前記複数の定着筋の取付間隔が不均一である場合の許容曲げモーメントデータを用意し、
前記仕様決定工程において、前記複数の定着筋の取付条件として、前記杭頭部の周方向にて前記複数の定着筋が等間隔に取り付けられたときの取付位置を基準位置としたとき、前記杭頭部に対する前記複数の定着筋の取付位置の前記基準位置からの許容偏位量を決定する
ことを特徴とする杭頭接合部の設計方法。
【請求項２】
前記仕様決定工程において、前記複数の定着筋の取付条件として、前記定着筋の各々の偏位方向も考慮して、前記許容偏位量を決定する
ことを特徴とする請求項１に記載の杭頭接合部の設計方法。
【請求項３】
前記仕様決定工程において、前記複数の定着筋の取付間隔が不均一である場合の前記杭頭接合部の許容曲げモーメントデータが、前記複数の定着筋の取付間隔が等間隔である場合の許容曲げモーメントに比べ所定の比率以上になるように、前記杭頭接合部の仕様を決定する
ことを特徴とする請求項１又は２に記載の杭頭接合部の設計方法。
【請求項４】
前記許容曲げモーメントデータ用意工程は、前記複数の定着筋の取付間隔と前記杭頭接合部の許容曲げモーメントとを対応付けて格納したデータベースにアクセスするデータベースアクセス工程を含み、
前記許容曲げモーメントデータ用意工程において、前記データベースの中から前記許容曲げモーメントデータを選択する
ことを特徴とする請求項１乃至３の何れか１項に記載の杭頭接合部の設計方法。
【請求項５】
所定の軸力下における、前記複数の定着筋の取付間隔が等間隔である場合の許容曲げモーメントに対する前記複数の定着筋の取付間隔が不均一である場合の許容曲げモーメントの比率を用意する比率用意工程を更に備え、
前記許容曲げモーメントデータ用意工程において、前記複数の定着筋の取付間隔が等間隔である場合の許容曲げモーメントに前記比率を乗じることにより前記許容曲げモーメントデータを用意する
ことを特徴とする請求項１乃至３の何れか１項に記載の杭頭接合部の設計方法。
【請求項６】
前記許容曲げモーメントデータ用意工程において、前記許容曲げモーメントデータとして、前記杭頭部の側面抵抗を考慮した許容曲げモーメントデータを用意する
ことを特徴とする請求項１乃至５の何れか１項に記載の杭頭接合部の設計方法。
【請求項７】
前記仕様決定工程において、前記許容曲げモーメントデータが、前記複数の定着筋の取付間隔が等間隔であって前記杭頭部の側面抵抗を考慮しない場合の許容曲げモーメント以上になるように、前記杭頭接合部の仕様を決定する
ことを特徴とする請求項６に記載の杭頭接合部の設計方法。
【請求項８】
杭頭部と、前記杭頭部の周りに配置される複数の定着筋と、前記杭頭部及び前記複数の定着筋を囲むコンクリートによって構成された基礎コンクリート部とを備える杭頭接合部の施工方法において、
前記杭頭部の周方向にて前記複数の定着筋を取り付ける定着筋取付工程を備え、
前記定着筋取付工程において、
前記杭頭部の周方向にて前記複数の定着筋が等間隔に取り付けられたときの前記複数の定着筋の取付位置を基準位置としたとき、前記杭頭部に対する前記複数の定着筋の各々の取付位置の前記基準位置からの偏位量が、予め指定された許容偏位量以下になるように前記複数の定着筋を取り付ける
ことを特徴とする杭頭接合部の施工方法。
【請求項９】
請求項８に記載の杭頭接合部の施工方法に用いられる杭頭用定着筋の取付位置確認用装置であって、
前記杭頭部上に前記杭頭部と同心上に配置可能な本体と、
前記本体に設けられ、前記許容偏位量を示す目印と、
を備えることを特徴とする杭頭用定着筋の取付位置確認用装置。
【手続補正２】
【補正対象書類名】明細書
【補正対象項目名】発明の名称
【補正方法】変更
【補正の内容】
【発明の名称】杭頭接合部の設計方法、製造方法、及び、杭頭用定着筋の取付位置確認用装置
【手続補正３】
【補正対象書類名】明細書
【補正対象項目名】０００１
【補正方法】変更
【補正の内容】
【０００１】
本開示は、杭頭接合部の設計方法、製造方法、及び、杭頭用定着筋の取付位置確認用装置に関する。
【手続補正４】
【補正対象書類名】明細書
【補正対象項目名】００１１
【補正方法】変更
【補正の内容】
【００１１】
上述の事情に鑑みて、本発明の少なくとも一実施形態の目的は、杭頭部の周方向にて定着筋の間隔が不均一であっても、杭頭部の発生曲げモーメントを定着筋の間隔を考慮に入れた杭頭接合部の許容曲げモーメント以下にすることができる杭頭接合部の設計方法を提供することにある。
また、本発明の少なくとも一実施形態の目的は、杭頭部の周方向にて定着筋の間隔が不均一であっても、杭頭部の発生曲げモーメントを定着筋の取付間隔を考慮に入れた杭頭接合部の許容曲げモーメント以下にすることができる杭頭接合部の施工方法を提供することにある。
また、本発明の少なくとも一実施形態の目的は、杭頭部の周方向にて定着筋の間隔が不均一であっても、杭頭部の発生曲げモーメントが定着筋の取付間隔を考慮に入れた杭頭接合部の許容曲げモーメント以下になるよう定着筋を容易に取り付けることができる杭頭用定着筋の取付位置確認用装置を提供することにある。
【手続補正５】
【補正対象書類名】明細書
【補正対象項目名】００２５
【補正方法】削除
【補正の内容】
【手続補正６】
【補正対象書類名】明細書
【補正対象項目名】００２６
【補正方法】削除
【補正の内容】
【手続補正７】
【補正対象書類名】明細書
【補正対象項目名】００２７
【補正方法】削除
【補正の内容】
【手続補正８】
【補正対象書類名】明細書
【補正対象項目名】００２８
【補正方法】削除
【補正の内容】
【手続補正９】
【補正対象書類名】明細書
【補正対象項目名】００２９
【補正方法】変更
【補正の内容】
【００２９】
（９）本発明の少なくとも一実施形態に係る定着筋の取付位置確認用装置は、
上記構成（８）の杭頭接合部の施工方法に用いられる定着筋の取付位置確認用装置であって、
前記杭頭部上に前記杭頭部と同心上に配置可能な本体と、
前記本体に設けられ、前記許容偏位量を示す目印と、
を備える。
【手続補正１０】
【補正対象書類名】明細書
【補正対象項目名】００３０
【補正方法】変更
【補正の内容】
【００３０】
上記構成（９）によれば、定着筋の取付作業を行う作業者は、目印を視認することにより、定着筋の取付位置の基準位置からの偏位量が許容偏位量以下になるように、定着筋の取付作業を円滑に進めることができる。
【手続補正１１】
【補正対象書類名】明細書
【補正対象項目名】００３１
【補正方法】変更
【補正の内容】
【００３１】
本発明の少なくとも一実施形態によれば、杭頭部の周方向にて定着筋の間隔が不均一であっても、杭頭部の発生曲げモーメントを定着筋の取付間隔を考慮に入れた杭頭接合部の許容曲げモーメント以下にすることができる杭頭接合部の設計方法が提供される。
また、本発明の少なくとも一実施形態によれば杭頭部の周方向にて定着筋の間隔が不均一であっても、杭頭部の発生曲げモーメントを定着筋の取付間隔を考慮に入れた杭頭接合部の許容曲げモーメント以下にすることができる杭頭接合部の施工方法が提供される。
また、本発明の少なくとも一実施形態によれば、杭頭部の周方向にて定着筋の間隔が不均一であっても、杭頭部の発生曲げモーメントが定着筋の取付間隔を考慮に入れた杭頭接合部の許容曲げモーメント以下になるよう定着筋を容易に取り付けることができる杭頭用定着筋の取付位置確認用装置が提供される。